(57)【特許請求の範囲】
【請求項１】
柄棒の先端に取り付けられたヘッドプレートと、該ヘッドプレートに取り付けられた水拭き清掃用のスポンジ部材とを有するスポンジワイパーの不使用時に、上記ヘッドプレートとスポンジ部材とを収納するための収納ケースであって、
上記収納ケースが、上記スポンジ部材とヘッドプレートとを収納可能な凹状の収納室を有し、該収納室は、収納されたスポンジ部材の側面外周が該収納室の内周に密接する大きさを有していて、該収納室内へのスポンジ部材の収納によって該スポンジ部材の清掃用表面が該収納室の内部に気密に封じ込められるように構成されていることを特徴とするスポンジワイパー用収納ケース。
【請求項２】
上記収納室の入口には、内周壁を外側に向けて傾斜させることにより長さ及び幅を次第に拡大させた拡大口部が連設されていることを特徴とする請求項１に記載の収納ケース。
【請求項３】
上記収納ケースが、スポンジワイパーを立てた状態に保持するスタンドを兼ねていて、上記収納室からヘッドプレート及びスポンジ部材を取り出す際に足で踏んで該収納ケースの動きを拘束するための拘束部を有し、該拘束部は、収納ケースの下端部から側方に延出して床に接地することにより、該収納ケースの接地面積を拡大する脚としての機能を兼備していることを特徴とする請求項１又は２に記載の収納ケース。
【請求項４】
柄棒の先端に取り付けられたヘッドプレートと、該ヘッドプレートに取り付けられた水拭き清掃用のスポンジ部材とを有するスポンジワイパー、及び、該スポンジワイパーの不使用時に上記ヘッドプレートとスポンジ部材とを収納するための収納ケースからなり、
上記収納ケースが、上記スポンジ部材とヘッドプレートとを収納可能な凹状の収納室を有し、該収納室は、収納されたスポンジ部材の側面外周が該収納室の内周に密接する大きさを有していて、該収納室内へのスポンジ部材の収納によって該スポンジ部材の清掃用表面が該収納室の内部に気密に封じ込められるように構成されていることを特徴とする収納ケースを備えたスポンジワイパー。
【請求項５】
上記収納室の入口には、内周壁を外側に向けて傾斜させることにより長さ及び幅を次第に拡大させた拡大口部が連設されていることを特徴とする請求項４に記載のスポンジワイパー。
【請求項６】
上記収納ケースが、スポンジワイパーを立てた状態に保持するスタンドを兼ねていて、上記収納室からヘッドプレート及びスポンジ部材を取り出す際に足で踏んで該収納ケースの動きを拘束するための拘束部を有し、該拘束部は、収納ケースの下端部から側方に延出して床に接地することにより、該収納ケースの接地面積を拡大する脚としての機能を兼備していることを特徴とする請求項４又は５に記載のスポンジワイパー。
【請求項７】
柄棒の先端に取り付けられたヘッドプレートと、該ヘッドプレートに取り付けられた水拭き清掃用のスポンジ部材とを有するスポンジワイパーの不使用時に、上記ヘッドプレートとスポンジ部材とを、該スポンジ部材の乾燥を防止した状態で収納ケース内に収納するための方法であって、
上記収納ケースの凹状をした収納室内に、上記スポンジ部材とヘッドプレートとを収納すると共に、該スポンジ部材の側面外周を該収納室の内周に密接させることにより、該スポンジ部材の清掃用表面を該収納室の内部に気密に封じ込めた状態で収納することを特徴とするスポンジワイパーの収納方法。
【発明の詳細な説明】
【技術分野】
【０００１】
本発明は、水を含ませたスポンジ部材で床などを水拭き清掃するスポンジワイパーを、不使用時に上記スポンジ部材の乾燥を防止した状態で収納するための技術に関するものである。
【背景技術】
【０００２】
柄棒の先端に取り付けたヘッドプレートにスポンジ部材を取り付け、このスポンジ部材に水を含ませて床面等を拭くタイプのスポンジワイパーは、例えば特許文献１によって公知である。このスポンジワイパーは、上記ヘッドプレート及びスポンジ部材がハンドル操作で屈伸自在となっていて、スポンジ部材に水を含浸させたあと屈曲させて搾水することにより含水量を調整し、そのあと真っ直ぐに伸長させて床等を清掃するものである。
清掃が終了したあと上記スポンジワイパーは、十分に水切りした状態で適宜保管場所に収納されるが、収納している間に水分が蒸発し、上記スポンジ部材はほぼ完全に乾燥した状態になる。
【０００３】
ところが、上記スポンジ部材がポリビニルアルコール製のスポンジ（ＰＶＡスポンジ）で形成されている場合、素材の特質上乾燥によって硬くなるため、次にスポンジワイパーを使用するとき、このスポンジ部材を柔らかくなるまで１０−２０分間ほど水に浸漬させておかなければならず、非常に不便であった。
この問題は、上記ヘッドプレート及びスポンジ部材が屈伸自在でない通常のスポンジワイパーにおいても同様に生じており、また、スポンジ部材がＰＶＡスポンジ以外のスポンジ体で形成されている場合であっても、スポンジ部材が乾燥すると多少なりとも硬くなる傾向を示すため、同様の問題が生じる。
【特許文献１】特開２００７−７０６９号公報
【発明の開示】
【発明が解決しようとする課題】
【０００４】
そこで本発明の目的は、スポンジワイパーの不使用時に、スポンジ部材の乾燥を防止した状態で該スポンジワイパーを収納することが可能な、簡単かつ合理的な設計構造を備えたスポンジワイパー用収納ケースを提供することにある。
【課題を解決するための手段】
【０００５】
上記目的を達成するため本発明によれば、柄棒の先端に取り付けられたヘッドプレートと、該ヘッドプレートに取り付けられた水拭き清掃用のスポンジ部材とを有するスポンジワイパーの不使用時に、上記ヘッドプレートとスポンジ部材とが収納ケース内に収納される。この収納ケースは、上記スポンジ部材とヘッドプレートとを収納可能な凹状の収納室を有していて、該収納室は、収納されたスポンジ部材の側面外周が該収納室の内周に密接する大きさを有し、該収納室内へのスポンジ部材の収納によって該スポンジ部材の清掃用表面が該収納室の内部に気密に封じ込められるように構成されている。
【０００６】
本発明において、上記収納室の入口には、内周壁を外側に向けて傾斜させることにより長さ及び幅を次第に拡大させた拡大口部が連設されていても良い。
本発明において好ましくは、上記収納ケースが、スポンジワイパーを立てた状態に保持するスタンドを兼ねていて、上記収納室からヘッドプレート及びスポンジ部材を取り出す際に足で踏んで該収納ケースの動きを拘束するための拘束部を有し、該拘束部は、収納ケースの下端部から側方に延出して床に接地することにより、該収納ケースの接地面積を拡大する脚としての機能を兼備していることである。
【発明の効果】
【０００７】
本発明によれば、収納ケースの収納室内にヘッドプレートとスポンジ部材とを収納すると、該スポンジ部材の側面外周が収納室の内周に密接することにより、該スポンジ部材の清掃用表面が収納室内に気密に封じ込められ、この清掃用表面からの水分の蒸発が防止される。このため、収納時であってもスポンジ部材は常に水を含んだ柔軟な状態を維持することになり、スポンジワイパーをいつでも必要なときに直ちに使用することができる。
【発明を実施するための最良の形態】
【０００８】
図１及び図２には、スポンジワイパー１の不使用時に該スポンジワイパー１のヘッドプレート５とスポンジ部材６とを収納ケース２内に収納した状態が、上記スポンジワイパー１の一部を省略した形で示されている。
上記スポンジワイパー１は、図３−図６に示すように、合成樹脂発泡体からなる細長い棒状をした清掃用の上記スポンジ部材６と、このスポンジ部材６が取り付けられた左右に細長くかつ中央部で二つに屈曲自在の上記ヘッドプレート５と、該ヘッドプレート５を支持するヘッド支持枠７と、該ヘッド支持枠７の上端中央部に取り付けられた長さが伸縮調節自在の柄棒８と、上記ヘッドプレート５を屈伸操作するための操作機構９とを有するもので、上記ヘッドプレート５とスポンジ部材６とでワイパーヘッドが形成されている。そして、上記柄棒８を手に持ち、水を含ませたスポンジ部材６を床等の清掃対象に押し付けて水拭き清掃を行うものである。上記ヘッドプレート５は、全体の平面視形状が実質的に細長い矩形をなすものである。
上記スポンジ部材６を形成する好ましい合成樹脂発泡体の例としては、ポリビニルアルコール製スポンジ（ＰＶＡスポンジ）を挙げることができるが、その他の素材であっても構わない。
【０００９】
上記スポンジ部材６は、四角柱状をした部材の底面部分と両角部分とに丸みを持たせたような断面形状を有していて、その底面から両側面にかけて延在する表面部分が清掃用表面６ａであり、この清掃用表面６ａには、該スポンジ部材６の長手方向全体にわたって延びる複数の小溝６ｂが平行に設けられている。しかし、この小溝６ｂは必ずしも必要なものではない。また、このスポンジ部材６の平面視形状は細長い矩形であって、その長さ（長手方向寸法）及び幅（短手方向寸法）は、上記ヘッドプレート５の長さ及び幅より若干大きく形成されている。従って、このスポンジ部材６は、その長さ方向にも幅方向にも、上記ヘッドプレート５から若干はみ出した状態となっている。
【００１０】
上記ヘッドプレート５は、該ヘッドプレート５の中央に位置する支持基体１１と、この支持基体１１に連結軸１２を中心に回動自在なるように連結された左右一対のヘッド基板１３と、これらのヘッド基板１３にそれぞれ上記ヘッドプレート５の長さ方向に変移自在なるように結合された左右一対の摺動基板１４とからなるもので、上記ヘッド基板１３の下面に上記スポンジ部材６の上面が図示しないプレートを介して取り付けられている。また、上記支持基体１１には、上記操作機構９の連結棒１６を連結するための棒連結部１７が形成されている。なお、このヘッドプレート５を構成する上記各部材１１，１３，１４は、合成樹脂で形成されている。
【００１１】
上記ヘッド支持枠７は、その先端が二股状に分岐していて、各分岐枝７ａの先端部にそれぞれ、連結アーム１８の基端部が、上記ヘッドプレート５の幅方向に延びるアーム取付軸１９を中心に回動自在なるように連結され、この連結アーム１８の先端部に、上記摺動基板１４が、上記ヘッドプレート５の幅方向に延びる連結具支持軸２０を中心に回動自在なるように連結されている。
【００１２】
上記連結アーム１８は、床の清掃時に、上記柄棒８からヘッド支持枠７を介して伝わる清掃のための操作力を上記摺動基板１４を介してヘッドプレート５に伝達し、スポンジ部材６の圧搾時（図６参照）には、上記ヘッド支持枠７に基端部を支えられることにより、上記摺動基板１４及びヘッド基板１３に両側から加圧力を加えるように機能する。
【００１３】
上記操作機構９は、上記柄棒８にピン２２で起倒自在なるように取り付けられたハンドル２３と、該ハンドル２３と上記ヘッドプレート５との間に連結されて該ハンドル２３の操作力をヘッドプレート５に伝える左右一対の上記連結棒１６とを有している。
上記ハンドル２３は、その先端部に輪状をした起倒操作のための握持部２３ａを有していて、該ハンドル２３の基端部が、上記ピン２２で柄棒８に回動自在に連結されている。そして、上記握持部２３ａを持って起倒させることにより、図３及び図４に実線で示す清掃時の第１操作位置Ｘと、図４に鎖線で示すスポンジ部材圧搾時の第２操作位置Ｙとの間を変位可能である。上記第１操作位置Ｘにおいては、上記ヘッドプレート５及びスポンジ部材６が伸長姿勢を保つことにより、床面等の清掃対象を清掃可能な状態となり、第２操作位置Ｙにおいては、これらのヘッドプレート５及びスポンジ部材６が屈曲した状態（図６参照）となり、ヘッドプレート５でスポンジ部材６が狭窄されて余分な水分が絞り出される。
【００１４】
上記連結棒１６は、強度と剛弾性との大きい針金などの金属製線条からなるもので、上記柄棒８の両側を該柄棒８に沿ってほぼ並行に延び、その基端部が、上記柄棒８の握持部２３ａと基端部との中間に支持ピン２４で回動自在に連結され、先端部は、上記ヘッド支持枠７の内部を貫通してヘッドプレート５の上部に至り、上記支持基体１１の上面中央部に形成された柱状の上記棒連結部１７に連結されている。
【００１５】
上記収納ケース２は、スポンジワイパー１を立てた状態で収納するためのスタンドを兼ねるもので、図１、図２及び図７から明らかなように、上記スポンジワイパー１のヘッドプレート５とスポンジ部材６とを収納するための凹状の収納室２６を有する矩形の箱形をしたケース本体２ａと、該ケース本体２ａの前面下端部から外方に向けて延出するプレート状の拘束部２ｂとで構成されており、これらのケース本体２ａと拘束部２ｂとが合成樹脂で一体に形成されている。従って、上記ケース本体２ａは水分不透過性である。
【００１６】
上記収納室２６は、平面視形状が細長い矩形をなしていて、一定の深さＤと一定の広さ（即ち一定の長さＬ及び一定の幅Ｗ）とを有しており、その深さＤは、上記ヘッドプレート５とスポンジ部材６とを同時に収納可能な深さであり、また該収納室２６の長さＬ及び幅Ｗは、上記ヘッドプレート５とスポンジ部材６とを伸長状態で収納可能であると共に、その収納時に上記スポンジ部材６の側面外周全体が該収納室２６の内周全体に密接し、このスポンジ部材６で該収納室２６が隙間なく塞がれるような大きさに形成されている。
【００１７】
上記収納室２６はこのように形成されているから、図１及び図２に示すように、該収納室２６内にヘッドプレート５とスポンジ部材６とを収納すると、このスポンジ部材６の側面外周が該収納室２６の内周に密接し、該スポンジ部材６の清掃用表面６ａが該収納室２６内に気密に封じ込められた状態となり、この清掃用表面６ａから収納室２６の外部への水分の蒸発が防止される。また、このとき上記スポンジ部材６は、上記収納室２６の内周に当接することによって回りから多少なりとも圧縮された状態にあるため、水分が上面側に浸透するのが抑えられると同時に、該スポンジ部材６の上面が上記ヘッドプレート５で覆われていることも加わって、該上面を通じての水分の蒸発も抑えられる。このため、該スポンジ部材６は、収納時であっても常に水を含んだ柔軟な状態を維持することになり、スポンジワイパー１をいつでも必要なときに直ちに使用することができる。
一方、上記ヘッドプレート５は、その外周が上記収納室２６の内周に対して非接触で近接した位置を占めるが、この外周の一部が収納室２６の内周に接触しても構わない。
【００１８】
上記収納室２６内へのヘッドプレート５及びスポンジ部材６の収納は、図８に示すように、該ヘッドプレート５及びスポンジ部材６をハンドル操作で半折り状態にして収納室２６内に収容したあと、ハンドル２３を第１操作位置Ｘに戻して上記ヘッドプレート５及びスポンジ部材６を伸長させることにより行う。しかし、上記ヘッドプレート５及びスポンジ部材６を伸長させた状態で収納することももちろん可能である。
これにより、上記スポンジ部材６の外周が収納室２６の内周に当接してワイパーヘッドが収納ケース２に固定された状態になるため、スポンジワイパー１は、該収納ケース２をスタンドとして立てた状態に保管することができる。その際必要であれば、上記収納室２６内に若干の水を入れておいても良い。
【００１９】
上記収納室２６の入口には、上記スポンジ部材６及びヘッドプレート５を収容し易くするため、内周壁を外側に向けて傾斜させることにより長さ及び幅を次第に拡大させた拡大口部２７が連設されている。しかし、この拡大口部２７は、必ずしもこのように長さ及び幅が次第に拡大している必要はなく、図９に示すように、上記収納室２６より長さ及び幅が一定大きさだけ広がった形に形成し、該収納室２６に段差２８を介して連設することもできる。あるいは、このような拡大口部２７を設けなくても構わない。
【００２０】
上記スポンジワイパー１を清掃のため収納ケース２から取り出すときは、上記拘束部２ｂを足で踏むことによって収納ケース２の動きを拘束し、その状態で、柄棒８を持って上記ヘッドプレート５及びスポンジ部材６を収納室２６から引き出すようにする。その際、ハンドル２３の操作で上記ヘッドプレート５及びスポンジ部材６を半折りの状態にしても良い。ヘッドプレート５取り出されたスポンジ部材６は、水を含むことによって柔軟性を維持しているため、屈伸自在であり、従って直ちに清掃に使用することができる。
【００２１】
上記拘束部２ｂは、ケース本体２ａの前面の下端部寄りの位置に、該ケース本体２ａの全長にわたって延在するように形成され、その上面には、踏んだとき足が滑らないようにするため、収納ケース２の長手方向に延びる複数の突条３０が設けられている。この拘束部２ｂの底面は、上記ケース本体２ａの底面と段差なく連なって床面に接地しており、これによってこの拘束部２ｂは、収納ケース２の接地面積を拡大するための脚としても機能するものである。
また、上記ケース本体２ａの後面の下端部には、上記拘束部２ｂより幅の狭い張出部３１が形成されていて、この張出部３１によって収納ケース２の接地面積の更なる拡大が図られている。
【００２２】
なお、図示した例では、上記拘束部２ｂが収納ケース２の前面に該収納ケースの全長にわたり形成されているが、中央の一部だけに形成されていても良く、また、該収納ケース２の後面に同様の態様で形成されていても、前面と後面の両方に形成されていても良い。あるいは、該収納ケース２の長さ方向の一端又は両端に形成されていても、収納ケース２の周囲全体に形成されていても構わない。
また、上記拘束部２ｂとして、上述したような足で踏むプレート状のものに代えて、収納ケース２の外周の適宜位置に把手を設け、この把手を手で押さえるようにすることもできる。
【００２３】
さらに、上記収納ケース２は、必ずしもスポンジワイパー１を自立状態で収納するためのスタンドとしての機能を兼ね備えている必要はなく、上記スポンジ部材６を乾燥しないように収納できる機能さえ備えていれば良い。この場合、スポンジワイパー１は、ヘッドプレート５及びスポンジ部材６を収納ケース内に収納した状態で、壁等に立て掛けたり吊したりして保管される。
【００２４】
また、図示した実施形態においては、スポンジワイパーとしてヘッドプレート５及びスポンジ部材６が屈伸自在であるものが示されているが、このスポンジワイパーは、上記ヘッドプレート５及びスポンジ部材６が屈伸自在でない通常のスポンジワイパーであっても構わない。
【図面の簡単な説明】
【００２５】
【図１】本発明の一実施形態を示すもので、収納ケースを破断して示す要部正面図である。
【図２】図１の側面図である。
【図３】スポンジワイパーの正面図である。
【図４】図３の側面図である。
【図５】スポンジ部材の圧搾途中の段階を示す要部正面図である。
【図６】スポンジ部材の圧搾段階を示す要部正面図である。
【図７】収納ケースの斜視図である。
【図８】スポンジワイパーのヘッドプレート及びスポンジ部材を収納ケースに収納する途中の段階を示す要部断面図である。
【図９】収納ケースの他例を示す斜視図である。
【符号の説明】
【００２６】
１      スポンジワイパー
２      収納ケース
２ｂ    拘束部
５      ヘッドプレート
６      スポンジ部材
６ａ    清掃用表面
８      柄棒
２３      ハンドル
２６      収納室
２７      拡大口部
【図１】
0005043744.tif 000002
【図２】
0005043744.tif 000003
【図３】
0005043744.tif 000004
【図４】
0005043744.tif 000005
【図５】
0005043744.tif 000006
【図６】
0005043744.tif 000007
【図７】
0005043744.tif 000008
【図８】
0005043744.tif 000009
【図９】
0005043744.tif 000010